【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
コンピュータに、
第１コンテンツの上端と当該第１コンテンツとは異なり、透過領域を有する第２コンテンツの下端とが接するように、前記第１コンテンツと前記第２コンテンツとを並べ、前記第１コンテンツと前記第２コンテンツとの背面に第３コンテンツを配置する配置手順と、
利用者からの操作によらずに、前記第２コンテンツの上端から所定の距離だけ下方向の位置を上端の位置とする画面と、前記第３コンテンツの上端を上端の位置とする画面とを、同一の画面上に重ねて表示する表示手順と
を実行させるための情報表示プログラム。
【請求項２】
前記表示手順は、前記第１コンテンツと前記第２コンテンツとの表示を開始する際の初期画面を表示する場合は、前記第２コンテンツの上端から所定の距離だけ下方向の位置を上端の位置とする画面と、前記第３コンテンツの上端を上端の位置とする画面とを、同一の画面上に重ねて表示することを特徴とする請求項１に記載の情報表示プログラム。
【請求項３】
前記表示手順は、利用者からの操作に応じて、前記第１コンテンツと前記第２コンテンツを移動させ、前記第３コンテンツを移動させないことを特徴とする請求項１または２に記載の情報表示プログラム。
【請求項４】
前記表示手順は、利用者からの操作に応じて、前記第１コンテンツと前記第２コンテンツを移動させ、前記第３コンテンツを前記第１コンテンツと前記第２コンテンツとは異なる態様で移動させることを特徴とする請求項１〜３のいずれか１つに記載の情報表示プログラム。
【請求項５】
前記配置手順は、所定のオブジェクトの一部が配置された第２コンテンツと、前記所定のオブジェクトのうち前記第２コンテンツに配置されていない部分が配置された前記第３コンテンツとを配置し、
前記表示手順は、前記第１コンテンツと前記第２コンテンツとの表示を開始する際の初期画面を表示する場合は、前記オブジェクトが現れるように、前記第２コンテンツと前記第３コンテンツとを重ねて表示する
ことを特徴とする請求項１〜４のいずれか１つに記載の情報表示プログラム。
【請求項６】
前記表示手順は、前記第１コンテンツと前記第２コンテンツとの表示を開始する際の初期画面を表示している状態で前記第１コンテンツと前記第２コンテンツとを上方向に移動させる移動操作が行われた場合は、前記初期画面を表示していない状態で前記移動操作が行われた場合よりも、短い距離だけ前記第１コンテンツと前記第２コンテンツとを移動させることを特徴とする請求項１〜５のいずれか１つに記載の情報表示プログラム。
【請求項７】
前記表示手順は、利用者の操作により前記第１コンテンツと前記第２コンテンツとを移動させた結果、前記第３コンテンツが表示される領域が縮小した場合は、当該第３コンテンツの表示態様を、当該第３コンテンツが表示される領域の変動に応じて変更することを特徴とする請求項１〜６のいずれか１つに記載の情報表示プログラム。
【請求項８】
前記配置手順は、利用者の操作に従って表示態様を変更可能な第２コンテンツを配置することを特徴とする請求項１〜７のいずれか１つに記載の情報表示プログラム。
【請求項９】
前記配置手順は、所定の操作が行われた場合に再生される動画を含む第２コンテンツを配置することを特徴とする請求項１〜８のいずれか１つに記載の情報表示プログラム。
【請求項１０】
前記表示手順は、利用者からの操作に応じて、前記第１コンテンツと前記第２コンテンツとを移動させることを特徴とする請求項１〜９のいずれか１つに記載の情報表示プログラム。
【請求項１１】
前記表示手順は、画面を前記第２コンテンツが占める割合が所定の閾値を超えた場合は、当該第２コンテンツに含まれる動画像の再生を開始することを特徴とする請求項１〜１０のいずれか１つに記載の情報表示プログラム。
【請求項１２】
前記表示手順は、画面を前記第２コンテンツが占める割合が所定の閾値を超えた場合は、当該第２コンテンツの全体が表示されるまで、前記第１コンテンツと前記第２コンテンツとを移動させることを特徴とする請求項１〜１１のいずれか１つに記載の情報表示プログラム。
【請求項１３】
前記表示手順は、前記第２コンテンツの全体が表示された場合は、前記第１コンテンツと前記第２コンテンツとの表示位置を固定することを特徴とする請求項１〜１２のいずれか１つに記載の情報表示プログラム。
【請求項１４】
前記表示手順は、前記表示位置を固定した場合は、当該領域を下方向に移動させるスクロール操作に従って、前記第２コンテンツの表示態様を変更することを特徴とする請求項１３に記載の情報表示プログラム。
【請求項１５】
前記表示手順は、前記表示位置を固定した後に、所定の操作が行われた場合は、当該表示位置の固定を解除することを特徴とする請求項１３または１４に記載の情報表示プログラム。
【請求項１６】
前記表示手順は、利用者に選択されると所定のコンテンツに遷移可能な前記第２コンテンツを表示する
ことを特徴とする請求項１〜１５のうちいずれか１つに記載の情報表示プログラム。
【請求項１７】
第１コンテンツと当該第１コンテンツとは異なる第２コンテンツとを表示する端末装置に対して、制御情報を配信する配信部を備え、
前記制御情報は、
第１コンテンツの上端と当該第１コンテンツとは異なり、透過領域を有する第２コンテンツの下端とが接するように、前記第１コンテンツと前記第２コンテンツとを並べ、前記第１コンテンツと前記第２コンテンツとの背面に第３コンテンツを配置する配置手順と、
利用者からの操作によらずに、前記第２コンテンツの上端から所定の距離だけ下方向の位置を上端の位置とする画面と、前記第３コンテンツの上端を上端の位置とする画面とを、同一の画面上に重ねて表示する表示手順と
を前記端末装置に実行させることを特徴とする配信装置。
【請求項１８】
情報表示装置が実行する情報表示方法であって、
第１コンテンツの上端と当該第１コンテンツとは異なり、透過領域を有する第２コンテンツの下端とが接するように、前記第１コンテンツと前記第２コンテンツとを並べ、前記第１コンテンツと前記第２コンテンツとの背面に第３コンテンツを配置する配置工程と、
利用者からの操作によらずに、前記第２コンテンツの上端から所定の距離だけ下方向の位置を上端の位置とする画面と、前記第３コンテンツの上端を上端の位置とする画面とを、同一の画面上に重ねて表示する表示工程と
を含むことを特徴とする情報表示方法。
【請求項１９】
第１コンテンツの上端と当該第１コンテンツとは異なり、透過領域を有する第２コンテンツの下端とが接するように、前記第１コンテンツと前記第２コンテンツとを並べ、前記第１コンテンツと前記第２コンテンツとの背面に第３コンテンツを配置する配置部と、
利用者からの操作によらずに、前記第２コンテンツの上端から所定の距離だけ下方向の位置を上端の位置とする画面と、前記第３コンテンツの上端を上端の位置とする画面とを、同一の画面上に重ねて表示する表示部と
を有することを特徴とする情報表示装置。
【手続補正２】
【補正対象書類名】明細書
【補正対象項目名】発明の名称
【補正方法】変更
【補正の内容】
【発明の名称】情報表示プログラム、配信装置、情報表示方法および情報表示装置
【手続補正３】
【補正対象書類名】明細書
【補正対象項目名】０００１
【補正方法】変更
【補正の内容】
【０００１】
本発明は、情報表示プログラム、配信装置、情報表示方法および情報表示装置に関する。
【手続補正４】
【補正対象書類名】明細書
【補正対象項目名】０００６
【補正方法】変更
【補正の内容】
【０００６】
本願に係る情報表示プログラムは、コンピュータに、第１コンテンツの上端と当該第１コンテンツとは異なり、透過領域を有する第２コンテンツの下端とが接するように、前記第１コンテンツと前記第２コンテンツとを並べ、前記第１コンテンツと前記第２コンテンツとの背面に第３コンテンツを配置する配置手順と、利用者からの操作によらずに、前記第２コンテンツの上端から所定の距離だけ下方向の位置を上端の位置とする画面と、前記第３コンテンツの上端を上端の位置とする画面とを、同一の画面上に重ねて表示する表示手順とを実行させることを特徴とする。 
【手続補正５】
【補正対象書類名】明細書
【補正対象項目名】０００９
【補正方法】変更
【補正の内容】
【０００９】
以下に、本願に係る情報表示プログラム、配信装置、情報表示方法および情報表示装置を実施するための形態（以下、「実施形態」と記載する。）について図面を参照しつつ詳細に説明する。なお、この実施形態により本願に係る情報表示プログラム、配信装置、情報表示方法および情報表示装置が限定されるものではない。また、以下の各実施形態において同一の部位には同一の符号を付し、重複する説明は省略される。